(57)【要約】  第１着色剤を含んでいる第１インク組成物と、第２着色剤を含んでいる第２インク組成物と、を含み、第１着色剤が第２着色剤とは異なり、各インク組成物は、同じ基材上に塗りつぶし率１００％で印刷された場合、式（Ｉ）（式中、ｎ＝第１および第２インク組成物のそれぞれを表す１または２であり、ｈ°1とｈ°2は互いに１５°以下だけ異なり、ΔＬ*1＞ΔＬ*2である）に従った色相角ｈ°nおよび基材の明度を基準にした明度ΔＬ*nを有する色を生み出すインクセットが開示されている。そのインクセットを用いたインクジェット記録方法、ならびにそのインクセットで作成された印刷画像も開示されている。
2008533246.tif 000002
【特許請求の範囲】
【請求項１】
第１着色剤を含んでいる第１インク組成物と、第２着色剤を含んでいる第２インク組成物と、
を含むインクセットであって、前記第１着色剤が前記第２着色剤とは異なり、
各インク組成物は、同じ基材上に塗りつぶし率１００％で印刷された場合、
ｈ°n＝ｔａｎ-1（ｂ*n／ａ*n）
ΔＬ*n＝Ｌ*基材−Ｌ*n
（式中、
ｎ＝前記第１および第２インク組成物のそれぞれを表す１または２であり、
ｈ°1とｈ°2は互いに１５°以下だけ異なり、かつ
ΔＬ*1＞ΔＬ*2である）
に従った色相角ｈ°nおよび前記基材の明度を基準にした明度ΔＬ*nを有する色を生み出す、インクセット。
【請求項２】
前記第１および第２インク組成物がインクジェットインク組成物である、請求項１に記載のインクセット。
【請求項３】
ｈ°1およびｈ°2が互いに１０°以下だけ異なる、請求項２に記載のインクセット。
【請求項４】
ｈ°1およびｈ°2が互いに５°以下だけ異なる、請求項２に記載のインクセット。
【請求項５】
ｈ°1およびｈ°2が−２０°から１０°である、請求項２に記載のインクセット。
【請求項６】
前記第１および第２着色剤がキナクリドンである、請求項５に記載のインクセット。
【請求項７】
ｈ°2≧ｈ°1である、請求項５に記載のインクセット。
【請求項８】
ｈ°1およびｈ°2が２２５°から２４５°である、請求項２に記載のインクセット。
【請求項９】
ｈ°2≧ｈ°1である、請求項８に記載のインクセット。
【請求項１０】
ｈ°1およびｈ°2が８０°から１００°である、請求項２に記載のインクセット。
【請求項１１】
ｈ°2≦ｈ°1である、請求項１０に記載のインクセット。
【請求項１２】
ΔＬ*2がΔＬ*1の８０％未満である、請求項２に記載のインクセット。
【請求項１３】
ΔＬ*2がΔＬ*1の３０から７０％までである、請求項２に記載のインクセット。
【請求項１４】
ΔＬ*2がΔＬ*1の４０から６０％までである、請求項２に記載のインクセット。
【請求項１５】
前記第１および第２インク組成物が化学線または熱放射によって硬化する放射線硬化性インク組成物である、請求項２に記載のインクセット。
【請求項１６】
前記第１および第２インク組成物が溶剤ベースのインク組成物であり、溶剤ベースの各インク組成物が前記インク組成物の全重量を基準にして有機溶剤を少なくとも３０重量％含んでいる、請求項２に記載のインクセット。
【請求項１７】
前記第１および第２インク組成物が水性インク組成物であり、各水性インク組成物が前記インク組成物の全重量を基準にして水を少なくとも３０重量％含んでいる、請求項２に記載のインクセット。
【請求項１８】
前記第１および第２着色剤が顔料、染料、またはそれらの組合わせである、請求項２に記載のインクセット。
【請求項１９】
前記第１着色剤が第１顔料および第２顔料を含んでおり、前記第１顔料と前記第２顔料とが第１重量比になっており、
前記第２着色剤が前記第１顔料および前記第２顔料を含んでおり、前記第１顔料と前記第２顔料とが第２重量比になっており、かつ
前記第１重量比が前記第２重量比とは異なる、
請求項１８に記載のインクセット。
【請求項２０】
前記第１着色剤が第１染料および第２染料を含んでおり、前記第１染料と前記第２染料とが第１重量比になっており、
前記第２着色剤が前記第１染料および前記第２染料を含んでおり、前記第１染料と前記第２染料とが第２重量比になっており、かつ
前記第１重量比が前記第２重量比とは異なる、
請求項１８に記載のインクセット。
【請求項２１】
前記第１着色剤が顔料と染料を第１重量比で含み、
前記第２着色剤が前記顔料と前記染料を第２重量比で含み、
前記第１重量比が前記第２重量比とは異なる、
請求項１８に記載のインクセット。
【請求項２２】
（ａ）第１着色剤を含んでいる第１インク組成物と、第２着色剤を含んでいる第２インク組成物と、
を含むインクセットであって、前記第１着色剤が前記第２着色剤とは異なり、
各インク組成物は、同じ基材上に塗りつぶし率１００％で印刷された場合、
ｈ°n＝ｔａｎ-1（ｂ*n／ａ*n）
ΔＬ*n＝Ｌ*基材−Ｌ*n
（式中、
ｎ＝前記第１および第２インク組成物のそれぞれを表す１または２であり、
ｈ°1とｈ°2は互いに１５°以下だけ異なり、かつ
ΔＬ*1＞ΔＬ*2である）
に従った色相角ｈ°nおよび前記基材の明度を基準にした明度ΔＬ*nを有する色を生み出す、インクセットを用意する段階と、
（ｂ）インクジェット印刷ヘッドによって前記インクセットを印刷する段階と
を含む、インクジェット記録方法。
【請求項２３】
ｈ°1およびｈ°2が−２０°から１０°である、請求項２２に記載の記録方法。
【請求項２４】
請求項２２に記載のインクジェット記録方法を使用して作成された印刷画像。
【請求項２５】
ｈ°1およびｈ°2が−２０°から１０°である、請求項２４に記載の印刷画像。
【発明の詳細な説明】
【技術分野】
【０００１】
本明細書では、色再現性を向上させるインクセット、特に、インクジェット記録に有用な同じ色のダークインクおよびライトインクを含むインクセットを開示している。
【背景技術】
【０００２】
通常、印刷装置および方法では、シアンインク、マゼンタインク、イエローインクおよび任意の黒インクの３色または４色のインクセットを用いており、これらは一緒になって多数の目に見える色を正確に再現できなければならない。インクジェット記録では、特定の画像領域にとって必要な濃度に相当する印刷ドット数だけ、インクを一滴ずつ画素ごとに基材に施す。したがって、３色または４色のインクセットを用いるインクジェットプリンタでは、高濃度領域と比べると、低濃度領域では比較的少ない数のドットを印刷する。白色基材では、非常に低濃度の領域においては３色または４色のインクセットによる色の印刷ドットがまばらになって目立つため、画像品質が損なわれることが多い。加えて、十分なドットが印刷されていないため、ハイライト領域の詳細が十分でないことが多い。
【０００３】
画像品質を向上させるために、インクジェットプリンタでは、３色または４色のインクセットのインクと一緒に、追加の「ライト」インクを使用できる。例えば、ライトインクを持つ最も一般的なインクセットは、ライトシアン、ライトマゼンタ、シアン、マゼンタ、イエロー、および黒のインクを持つ６色のインクセットである。一般に、ライトインクは同じ着色剤の量が少ない点を除いて、ライトインクは通常のインク（「ダーク」インクと呼ばれることがある）と同じである。ライトインクでは、通常の着色力のダークインクと比べて、同じ濃度にするために低濃度領域にさらに多くのドットを印刷できる。低コントラストのドットをさらに多く印刷する結果として、画像品質は大幅に向上する。
【発明の開示】
【発明が解決しようとする課題】
【０００４】
ライト／ダークの対のインクは、多くの場合、同じ着色剤を異なる量だけ含んでいる。時として、特定の用途に応じて性能特性を最適化するために、異なる着色剤を使用することもある。例えば、写真画質インクジェット記録用のライト／ダークの対に使用される着色剤は、色の正確さと安定性を最もうまく兼ね備えられるように最適化されることがある。しかし、そのような着色剤の組合わせは、ライトピンクと深紅が不可欠であるグラフィックを印刷するのに好適とはなりえない。低濃度領域でライトピンクを生じるように最適化されているマゼンタインクでは、イエローの色調が強すぎて、深紅を生じることができなくなる。逆に、高濃度領域で深紅を生じるよう最適化されたマゼンタインクでは、明るいライトピンクを作り出すには、あまりに青が強すぎるかまたはぼんやりしすぎるように見えることになる。
【課題を解決するための手段】
【０００５】
本明細書に開示されているインクセットは、第１着色剤を含んでいる第１インク組成物と、第２着色剤を含んでいる第２インク組成物と、を含むものであって、第１着色剤が第２着色剤とは異なり、各インク組成物は、同じ基材上に塗りつぶし率１００％（１００％  ｆｉｌｌ）で印刷された場合、
ｈ°n＝ｔａｎ-1（ｂ*n／ａ*n）
ΔＬ*n＝Ｌ*基材−Ｌ*n
（式中、
ｎ＝第１および第２インク組成物のそれぞれを表す１または２であり、
ｈ°1とｈ°2は互いに１５°以下だけ異なり、かつ
ΔＬ*1＞ΔＬ*2である）
に従った色相角ｈ°nおよび基材の明度を基準にした明度ΔＬ*nを有する色を生み出す。
【０００６】
本明細書に開示されているインクセットは、正確な色再現、特に深紅および明るいライトピンクを再現するのに有用である。そのインクセットを用いたインクジェット記録方法およびそれによって作成される印刷画像も開示されている。
【発明を実施するための最良の形態】
【０００７】
国際照明委員会によって１９７６年に策定されたＣＩＥ  Ｌ*ａ*ｂ*色空間は、色の測定および整理に広く使用されている方法であり、開示されているインクセットを説明するのに用いられている。ＣＩＥＬＡＢ色空間は、Ｌ*、ａ*、およびｂ*という用語を用いて空間内の位置として色が定義される三次元空間である。Ｌ*は色の明度の尺度であり、ゼロ（黒）から１００（白）までの範囲にわたり、ｘ軸、ｙ軸およびｚ軸を持つ典型的な三次元プロットのｚ軸として視覚化できる。ａ*およびｂ*という用語は、色の色相および彩度を定義するもので、それぞれｘ軸およびｙ軸として視覚化できる。用語ａ*の範囲は負数（緑）から正数（赤）までであり、用語ｂ*の範囲は負数（青）から正数（イエロー）までである。色は、
ｈ°＝ｔａｎ-1（ｂ*／ａ*）
Ｃ*＝（ａ*2＋ｂ*2）1/2
に従った色相角ｈ°および彩度Ｃ*によってｘ−ｙ平面上に定義される。
【０００８】
色相角ｈ°の範囲は一意的に定義されず、任意の３６０度の範囲に及ぶことが可能である。通例、この範囲は０°から３６０°までとなるように選択される。しかし、マゼンタインクの場合、０°の近くで色相角が不連続になるのを避けるため、−１８０°から＋１８０°の範囲を使用するのがより便利である。
【０００９】
Ｌ*、ａ*、およびｂ*という用語は、特定の着色剤セットが生み出すことができる色空間の体積を計算するのに使用できる。この体積は、色域（ｃｏｌｏｒ  ｇａｍｕｔ）または色域体積（ｇａｍｕｔ  ｖｏｌｕｍｅ）Ｇとも呼ばれるもので、インクセット中のインクのいろいろな色の組合わせの数百のプリントパッチに関してＬ*、ａ*、およびｂ*を測定することにより計算される。例えば、色域体積は、モナコ（Ｍｏｎａｃｏ）のギャマットワークス（Ｇａｍｕｔ  Ｗｏｒｋｓ：ソフトウェアー名）を用いてこれらの測定値から計算できる。一般に、色域体積が大きくなるほど、着色剤セットが生み出すことのできる色は多くなり、その結果として色の正確さは増すことになる。ある着色剤を別の着色剤の代わりに用いることにより、ある特定インクセットでそれぞれによってどのように色域体積が増大または減少するかを容易に比較できる。色測定の完全な説明については、「Ｍｅａｓｕｒｉｎｇ  Ｃｏｌｏｒ」、第２版、Ｒ．Ｗ．Ｇ．ハント（Ｈｕｎｔ）、Ｅｌｌｉｓ  Ｈｏｒｗｏｏｄ  Ｌｔｄ．、１９９１を参照のこと。
【００１０】
本明細書で使用される「着色剤」という用語は、ある種の単一着色剤またはある特定比率の各種着色剤の混合物を指す。例えば、着色剤はピグメントレッド（Ｐｉｇｍｅｎｔ  Ｒｅｄ）１２２であっても、あるいはある特定比率のピグメントレッド１２２とピグメントバイオレット（Ｐｉｇｍｅｎｔ  Ｖｉｏｌｅｔ）１９の混合物であってもよい。別の例として、ピグメントレッド１２２とピグメントバイオレット１９の２：１の混合物である着色剤は、ピグメントレッド１２２とピグメントバイオレット１９の５：１の混合物である着色剤と同じ着色剤ではない。これとは対照的に、ある着色剤が、同じ種類の着色剤であるかまたは各種着色剤の同じ比率の同じ混合物である場合、いろいろなインク組成物にいろいろな量だけ存在しているとしても、同じ着色剤である。例えば、ダークインクがピグメントブルー（Ｐｉｇｍｅｎｔ  Ｂｌｕｅ）１５：３とピグメントブルー１５：１の３：２の混合物を５重量％含んでおり、ライトインクがピグメントブルー１５：３とピグメントブルー１５：１の３：２の混合物を２重量％含んでいる場合、ダークインクとライトインクは同じ着色剤を含んでいることになる。
【００１１】
開示されているインクセットは、第１着色剤を含んでいる第１インク組成物と、第２着色剤を含んでいる第２インク組成物と、を含み、第１着色剤は第２着色剤とは異なり、各インク組成物は、同じ基材上に塗りつぶし率１００％で印刷された場合、
ｈ°n＝ｔａｎ-1（ｂ*n／ａ*n）
ΔＬ*n＝Ｌ*基材−Ｌ*n
（式中、ｎ＝第１および第２インク組成物のそれぞれを表す１または２であり、ｈ°1とｈ°2は互いに１５°以下だけ異なり、かつΔＬ*1＞ΔＬ*2である）に従った色相角ｈ°nおよび基材の明度を基準にした明度ΔＬ*nを有する色を生み出す。開示されているインクセットは、ダークインクおよびライトインクを有する、同じ着色剤を含んでいるインクセットと比べてより大きな色域体積を提供する。その結果、明るいライトピンクおよび深紅の再現を向上させることが可能である。１つの実施形態では、ｈ°1およびｈ°2は互いに１０°以下だけ異なる。別の実施形態では、ｈ°1およびｈ°2は互いに５°以下だけ異なる。
【００１２】
１つの実施形態では、第１および第２インク組成物はマゼンタインクであり、ｈ°1およびｈ°2は−２０°から１０°である。マゼンタインクの場合、色域体積を最大にするために、この色相角の範囲が一般には望ましい。さらに、そのようなマゼンタインクでは、ｈ°2≧ｈ°1が可能になる。これはダークインクとライトインクが同じ着色剤を有している場合には不可能なことである。１つの実施形態では、キナクリドン発色団に由来する着色剤は一般に良好なマゼンタ色であるため、第１着色剤および第２着色剤はキナクリドンである。
【００１３】
開示されているインクセットは、明るいライトピンクおよび深紅の色再現が不可欠である用途に使用できる。通常、低濃度領域でライトピンクを生じるように最適化されているマゼンタインクでは、イエローの色調が強すぎて、深紅を生じることができなくなる。逆に、高濃度領域で深紅を生じるよう最適化されたマゼンタインクでは、明るいライトピンクを作り出すには、あまりに青が強すぎるかまたはぼんやりしすぎるように見えることになる。開示されているインクセットを使用するなら、明るいライトピンクおよび深紅を得ることができるようなライト／ダークマゼンタインクセットを設計することができる。
【００１４】
開示されているインクセットは、ダークマゼンタインクＤＭ−２６９１およびライトマゼンタインクＬＭ−２６８１でのピンクおよび赤の再現を評価することにより説明できるが、これらのインクはどちらも、以下に詳述されている手順に記載されているのと同じマゼンタキナクリドン着色剤を含んでいる。この２種類のインクは、以下の実施例の節に記載されているダークシアンインクＤＣ−２６９６、ライトシアンインクＬＣ−２６８６、イエローインクＹ−２６９２、および黒インクＫ−２６９５と一緒にインクジェット記録した。マゼンタ記録のプリントパッチの色相角を表１に示す。
【００１５】
ピンクの再現は塗りつぶし率１０％での色相角から、また赤の再現は塗りつぶし率１００％での色相角から、定性的に評価できる。ＤＭ−２６９１およびＬＭ−２６８１の場合、塗りつぶし率１０％での色相角は−１８°であり、ピンクは青っぽく見える。塗りつぶし率１００％での色相角はマゼンタの理想的な色相角である約０°であり、したがって、深紅の再現が可能である。これは、赤の記録での塗りつぶし率１００％の目視検査で確認される。
【００１６】
【表１】
2008533246.tif 000003
【００１７】
ダークマゼンタインクＤＭ−３９１７およびライトマゼンタインクＬＭ−３９１８を、ＤＭ−２６９１およびＬＭ−２６８１と同様にインクジェット記録した。ＤＭ−３９１７およびＬＭ−３９１８は両方とも以下の実施例の節に記載されているのと同じマゼンタキナクリドン着色剤も含んでいるが、マゼンタ着色剤はＤＭ−２６９１およびＬＭ−２６８１インクセットのものと同じではない。色相角の測定値を表１に示す。塗りつぶし率１０％での色相角は２°であり、理想的な明るいピンクが観察される。塗りつぶし率１００％での色相角は約１５°であり、マゼンタは黄色っぽく見える。これは、オレンジ色／赤の色合いとして現れる赤の記録での塗りつぶし率１００％の目視検査で確認される。
【００１８】
ＤＭ−２６９１およびＬＭ−３９１８を、ＤＭ−２６９１およびＬＭ−２６８１と同様にしてインクジェット記録した。その色相角を表１に示す。塗りつぶし率１０％での色相角は１°であり、理想的な明るいピンクが観察される。塗りつぶし率１００％での色相角も約１°であり、理想的なマゼンタが観察される。これは、深紅として現れる赤の記録での塗りつぶし率１００％の目視検査で確認される。
【００１９】
ＤＭ−３９１７およびＬＭ−２６８１を、ＤＭ−２６９１およびＬＭ−２６８１と同様にしてインクジェット記録した。その色相角を表１に示す。塗りつぶし率１０％での色相角は−１５°であり、ピンクは青っぽく見える。塗りつぶし率１００％での色相角は約１４°であり、マゼンタは黄色っぽく見える。これは、オレンジ色／赤の色合いとして現れる赤の記録での塗りつぶし率１００％の目視検査で確認される。
【００２０】
塗りつぶし率１００％でのライトインクおよびダークインクの色の測定値を表２に示す。色相角の差Δｈ°は、塗りつぶし率１００％で測定されるのｈ°2とｈ°1の間の差の絶対値である。例えば、ダークインクがＤＭ−２６９１であり、ライトインクがＬＭ−３９１８である場合、表２からはΔｈ°＝０°となる。
【００２１】
【表２】
2008533246.tif 000004
【００２２】
４つのダーク／ライトインクの組合わせすべてのΔｈ°値を表３に示す。ＤＭ−２６９１およびＬＭ−３９１８のインクセットが明るいライトピンクおよび深紅を最高に再現できる。この発見は、実施例の節にある説明に従って測定した各インクセットの色域体積Ｇを比較することによりさらに実証される。結果を表３に示す。
【００２３】
【表３】
2008533246.tif 000005
【００２４】
表３のデータは以下の事柄を示している。
●最大の色域体積は、ＤＭ−２６９１およびＬＭ−３９１８を含んでいるインクセットで得られたが、これは明るいライトピンクおよび深紅を再現できるインクセットと同じである。
●ライトマゼンタインクとダークマゼンタインクに異なるマゼンタ着色剤を用いた場合に最大の色域体積が得られた。
●ライトインクとダークインク用に選んだ別々の着色剤が、塗りつぶし率１００％で印刷したパッチ間の色相角の差が最小となっているとき、最大の色域体積が得られた。すなわち、ＤＭ−２６９１とＬＭ−３９１８のインクセット（Δｈ°＝０°）の場合、ＤＭ−３９１７とＬＭ−２６８１の組合わせ（Δｈ°＝３０°）よりも大きな色域体積が生じた。
【００２５】
さまざまなインクセットの色空間を比較することにより、本発明を例示することができる。図１は、Ｌ*＝４５におけるａ*対ｂ*のプロット１０を示しており、これは深紅の色空間のスライスを表している。インクセットＤＭ−２６９１＋ＬＭ−３９１８  １２およびＤＭ−２６９１＋ＬＭ−２６８１  １４は、インクセットＤＭ−３９１７＋ＬＭ−３９１８  １６およびＤＭ−３９１７＋ＬＭ−２６８１  １８と比べてより大きな領域を有している。インクセット１２および１４は、インクセット１６および１８よりも優れたより深い紅を再現できる。
【００２６】
図２はＬ*＝７０におけるａ*対ｂ*のプロット１０を示しており、これは明るいライトピンクの色空間のスライスを表している。インクセットＤＭ−２６９１＋ＬＭ−３９１８  １２およびＤＭ−３９１７＋ＬＭ−３９１８  １６は、インクセットＤＭ−２６９１＋ＬＭ−２６８１  １４およびＤＭ−３９１７＋ＬＭ−２６８１  １８と比べてより大きな領域を有している。インクセット１２および１６は、インクセット１４および１８よりも優れた明るいライトピンクを再現できる。したがって、インクセット１２が、明るいライトピンクおよび深紅を一番よく生み出すことができる。
【００２７】
開示されているインクセットの使用は、明るいライトピンクおよび深紅が求められるダーク／ライトマゼンタインクセットに限定されるわけではない。開示されているインクセットは、明るいライトシアンおよび紺青が求められるダークおよびライトシアンインクにも使用できる。同じように、ライトシアンインクは、ダークシアンインクよりも多い量の赤の色合いのシアン着色剤およびダークシアンインクより少ない量の緑の色合いの着色剤を含んでいることが有益であろう。これは、顔料濃度および／または印刷領域の印刷率（ｃｏｖｅｒａｇｅ）が増大するにつれて、シアンインクの色相角が増大するためである。１つの実施形態では、第１および第２インク組成物は、ｈ°1およびｈ°2が２２５°から２４５°までのシアンインクである。別の実施形態では、第１および第２インク組成物は、ｈ°1およびｈ°2が２２５°から２４５°までで、かつｈ°2≧ｈ°1であるシアンインクである。
【００２８】
開示されているインクセットは、明るいライトイエローおよび濃緑色が求められるダークおよびライトイエローインクにも使用できる。例えば、ライトイエローインクは、ダークイエローインクよりも多い量の赤の色合いのイエロー着色剤およびダークイエローインクより少ない量の緑の色合いのイエロー着色剤を含んでいることが有益であろう。これは、顔料濃度および／または印刷領域の印刷率が増大するにつれて、イエローインクの色相角が減少するためである。１つの実施形態では、第１および第２インク組成物は、ｈ°1およびｈ°2が８０°から１００°までのイエローインクである。別の実施形態では、第１および第２インク組成物は、ｈ°1およびｈ°2が８０°から１００°までで、かつｈ°2≦ｈ°1であるイエローインクである。
【００２９】
ΔＬ*は、基材の測定Ｌ*と塗りつぶし率１００％でインクジェット記録されたものの測定Ｌ*との間の差として定義されている。典型的な白色基材のおおよそのＬ*値は９４．７である。基材のＬ*にこの値を使用してΔＬ*2のΔＬ*1に対する比の値を計算したが、それを表３に示す。定義上、ΔＬ*2はΔＬ*1より小さくなる。１つの実施形態では、粒状性を減少させるために、ΔＬ*2はΔＬ*1の８０％未満である。別の実施形態では、ΔＬ*2はΔＬ*1の３０から７０％までである。さらに別の実施形態では、ΔＬ*2はΔＬ*1の４０から６０％までである。ΔＬ*2がΔＬ*1の８０％未満からΔＬ*1の４０〜６０％に変わるにつれて、これらのインクで印刷される画像の粒状性が減少するので、最も狭い範囲が有利である。
【００３０】
本発明のインクセットの第１および第２インク組成物はインクジェットのインク組成物であってよく、インクジェット記録の技術分野において知られているどのようなタイプのものであってもよい。例えば、第１および第２インク組成物は、化学線または熱放射によって硬化する放射線硬化性インク組成物であってよい。特に有用な放射線硬化性インク組成物は、米国特許出願公開第２００２／００８６９１４Ａ１号明細書に記載されている。第１および第２インク組成物は、溶剤ベースの各インク組成物がインク組成物の全重量を基準にして有機溶剤を少なくとも３０重量％含んでいる、溶剤ベースのインク組成物であってもよい。有用な有機溶剤の例として、メチルエチルケトンおよびイソプロパノールがある。第１および第２インク組成物は、各水性インク組成物がインク組成物の全重量を基準にして水を少なくとも３０重量％含んでいる、水性のインク組成物であってよい。
【００３１】
本発明のインクセットの第１および第２着色剤は、インクジェット記録の技術分野において知られているどのようなタイプのものであってもよい。第１および第２着色剤は、顔料、染料、またはそれらの組合わせであってよい。例えば、第１着色剤は第１顔料および第２顔料を含んでいて、第１顔料と第２顔料とが第１重量比になっており、第２着色剤が第１顔料および第２顔料を含んでいて、第１顔料と第２顔料とが第２重量比になっており、第１重量比が第２重量比とは異なっている。
【００３２】
別の例では、第１着色剤が第１染料および第２染料を含んでいて、第１染料と第２染料とが第１重量比になっており、第２着色剤が第１染料および第２染料を含んでいて、第１染料と第２染料とが第２重量比になっており、第１重量比が第２重量比とは異なっている。
【００３３】
さらに別の例では、第１着色剤が顔料と染料を第１重量比で含み、第２着色剤が顔料と染料を第２重量比で含み、第１重量比が第２重量比とは異なっている。
【００３４】
開示されているインクセットは、インクジェットプリンタなどの任意のタイプの印刷装置に使用してよい。インクジェットプリンタは、デスクトッププリンタまたはワイドフォーマットプリンタであってよく、ピエゾ印刷ヘッド、感熱印刷ヘッド、連続印刷ヘッド、またはアコースティック印刷ヘッド（ａｃｏｕｓｔｉｃ  ｐｒｉｎｔｈｅａｄ）などの任意のタイプのインクジェット印刷ヘッドを備えていてよく、あるいは１信号当たり少数の滴（例えば、１滴または１６滴まで）を発生できる任意の装置を備えていてよい。開示されているインクセットは、
（ａ）第１着色剤を含んでいる第１インク組成物と、第２着色剤を含んでいる第２インク組成物と、
を含むインクセットであって、第１着色剤が第２着色剤とは異なり、
各インク組成物は、同じ基材上に塗りつぶし率１００％で印刷された場合、
ｈ°n＝ｔａｎ-1（ｂ*n／ａ*n）
ΔＬ*n＝Ｌ*基材−Ｌ*n
（式中、
ｎ＝第１および第２インク組成物のそれぞれを表す１または２であり、
ｈ°1とｈ°2は互いに１５°以下だけ異なり、かつ
ΔＬ*1＞ΔＬ*2である）
に従った色相角ｈ°nおよび基材の明度を基準にした明度ΔＬ*nを有する色を生み出す、インクセットを用意する段階と、
（ｂ）インクジェット印刷ヘッドによって前記インクセットを印刷する段階と
を含む、インクジェット記録方法を提供する。
【００３５】
１つの実施形態では、この記録方法で使用する第１および第２インク組成物は、ｈ°1およびｈ°2が−２０°から１０°であるマゼンタインクである。
【００３６】
開示されているインクセットは、上述のインクジェット記録方法を用いて作成される印刷画像も提供する。１つの実施形態では、印刷画像を作成するのに用いる第１および第２インク組成物は、ｈ°1およびｈ°2が−２０°から１０°であるマゼンタインクである。印刷画像は、インクジェット記録の技術分野において知られている任意の好適な基材を含んでよい。有用な基材の例としては、ビニル、紙、プラスチックなどが挙げられる。
【００３７】
本明細書に記載する実施例は、説明の目的のために示すだけであり、決して本発明の範囲を限定することを意図するものではない。
【００３８】
手順
インクジェットインク組成物
実施例では、表４に示す放射線硬化性インク組成物を用いている。
【００３９】
【表４】
2008533246.tif 000006
【００４０】
インクジェット記録
インクジェット記録は、生産性の高いＵＶ硬化性ピエゾインクジェット記録装置であるスコッチプリント・グラフィックス用３Ｍプリンター２５００ＵＶ（３Ｍ（登録商標）Ｐｒｉｎｔｅｒ  ２５００ＵＶ  ｆｏｒ  Ｓｃｏｔｃｈｐｒｉｎｔ（登録商標）Ｇｒａｐｈｉｃｓ）を用いて実施した。以下の条件で行った。
●３パス
●吐出周波数（ｆｉｒｉｎｇ  ｆｒｅｑｕｅｎｃｙ）１０ｋＨｚ
●左右のオーバートラベルは２０インチ
●１２の配列
●左から右への一方向
●両方の紫外線ランプは高出力
【００４１】
印刷した画像は、ｃａｌｉｂｒａｔｉｏｎ６ｃｏｌｏｒ．ｅｐｓ、ＣＭＹＫ＿ｔｅｓｔ＿ｆｉｌｅ．ｅｐｓ、およびＰｒｉｎｔｏｐｅｎＸＴ＿ＣＭＹＫ．ｔｉｆであり、これらはすべて３Ｍスコッチプリント・グラフィックメーカー・ソフトウェア（３Ｍ（登録商標）Ｓｃｏｔｃｈｐｒｉｎｔ（登録商標）ＧｒａｐｈｉｃＭａｋｅｒ  Ｓｏｆｔｗａｒｅ）に含まれている。ｃａｌｉｂｒａｔｉｏｎ６ｃｏｌｏｒ．ｅｐｓファイルは、グラフィックメーカー（ＧｒａｐｈｉｃＭａｋｅｒ）ソフトウェアおよび以下の設定値を用いてリッピングした。
●解像度４２３ｄｐｉ×６００ｄｐｉ
●テストチャートモード
●ライトインク最大量（１００％）
●プロファイルなし
●スポットサイズ４
【００４２】
その後、リッピングされたファイルを３Ｍコントロールタック・プラス（３Ｍ（登録商標）Ｃｏｎｔｒｏｌｔａｃ（登録商標）Ｐｌｕｓ）ＩＪ１８０Ｃ−１０ビニルに印刷した。またプリンターの校正ランプを構成するために、塗りつぶしレベル（ｆｉｌｌ  ｌｅｖｅｌ）パッチの状況Ｔのシアン、マゼンタ、イエローおよび黒の濃度を、Ｘ−ライト５２８スペクトロデンシオメーター（Ｘ−Ｒｉｔｅ  ５２８  Ｓｐｅｃｔｒｏｄｅｎｓｉｔｏｍｅｔｅｒ）を用いてグラフィックメーカー（ＧｒａｐｈｉｃＭａｋｅｒ）ソフトウェアのプリントカル・エディター（Ｐｒｉｎｔｃａｌ  Ｅｄｉｔｏｒ）部分に読み込んだ。リッピングされたｃａｌｉｂｒａｔｉｏｎ６ｃｏｌｏｒファイルも、さまざまな塗りつぶしレベルでのダークインクのみの状況Ｔの濃度およびＬ*ａ*ｂ*色を測定できるように、ライトマゼンタおよびライトシアンインクが使用不可の状態で印刷した。マゼンタ記録のプリントパッチの色相角を表１に示す。
【００４３】
その後、ＣＹＭＫ＿ｔｅｓｔ＿ｆｉｌｅ．ｅｐｓおよびＰｒｉｎｔｏｐｅｎＸＴ＿ＣＭＹＫ．ｔｉｆファイルを、上記の校正ファイルを用いて、解像度４２３×６００ｄｐｉ、ライトインク最大量の設定１００％、プロファイルなしでリッピングした。リッピングしたファイルを印刷し、その印刷したＰｒｉｎｔｏｐｅｎＸＴ＿ＣＭＹＫファイルを用いて各インクセットごとにＩＣＣプロファイルを生成させた。得られたプロファイルを用いて色域体積（したがって、各インクセットで得られる色）を比較した。色域体積は、モナコ（Ｍｏｎａｃｏ）のギャマットワークス（Ｇａｍｕｔ  Ｗｏｒｋｓ）を用いて計算したが、それは表３に示してある。
【図面の簡単な説明】
【００４４】
【図１】さまざまなライト／ダークインクセットでの、Ｌ*＝４５におけるａ*対ｂ*のプロットを示している。
【図２】さまざまなライト／ダークインクセットでの、Ｌ*＝７０におけるａ*対ｂ*のプロットを示している。
【図１】
2008533246.tif 000007
【図２】
2008533246.tif 000008
【国際調査報告】
2008533246.tif 000009
2008533246.tif 000010
2008533246.tif 000011